【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
弾球遊技機全体の制御を司る主制御装置と、
該主制御装置からの通知をもとに演出装置を制御するサブ制御装置とを備えた弾球遊技機であって、
前記主制御装置に、
遊技盤上に設けられた始動口に遊技球が入球したことに起因して数値データを抽出する数値データ抽出手段と、
前記抽出された前記数値データを所定数を限度に記憶する保留記憶手段と、
該保留記憶手段により記憶された前記数値データをもとに大当り遊技を発生させるか否かの大当り判定を行う大当り判定手段と、
該大当り判定手段による大当り判定が行われる前に前記数値データ抽出手段によって抽出された前記数値データの内容を確認する数値データ確認手段と、
前記大当り判定手段による大当り判定の結果を示す特別図柄を表示させる特別図柄表示制御手段とを備え、
前記サブ制御装置に、
前記保留記憶手段に前記数値データが記憶されると、対応する保留図柄を表示する保留図柄表示手段と、
前記保留図柄には、表示されたときの前記大当り遊技が発生する確率である信頼度が異なる複数の種類があり、前記数値データ確認手段による確認結果をもとに前記保留図柄表示手段によって表示させる前記保留図柄を前記複数の種類のうちから決定する保留図柄決定手段と、
前記保留図柄表示手段によって表示された前記保留図柄を、前記信頼度の異なる種類の保留図柄に変化させる保留変化演出を実行させるか否かを判定する保留変化演出判定手段とを備えた弾球遊技機において、
前記演出装置には、固定式の第１演出表示装置と、可動式の第２演出表示装置とがあり、
前記第２演出表示装置に前記保留図柄が表示されていない状態にて前記第２演出表示装置を可動させる第１可動と、前記第２演出表示装置に前記保留図柄が表示されている状態にて前記第２演出表示装置を可動させる第２可動とを実行可能な第２演出表示装置可動制御手段と、
該第２演出表示装置可動制御手段によって前記第２可動を実行させるか否かを判定する第２可動判定手段とを備え、
前記第２演出表示装置可動制御手段によって前記第２可動が行われている最中、又は、前記第２可動が実行されてから所定時間経過後に前記保留変化演出が実行され、
該第２可動判定手段は、前記保留変化演出判定手段によって前記保留変化演出を実行しないと決定された場合でも所定の確率にて前記第２可動を実行させると判定するように設定され、
前記第２演出表示装置可動制御手段によって、前記第１可動が行われている最中には、前記保留変化演出を実行させないように設定し、
前記第１可動は、
前記第１演出表示装置にて前記特別図柄の所定の疑似演出が行われている最中に実行されるものであり、前記所定の疑似演出の開始から予め定められた所定時間経過後に実行され、
前記所定の疑似演出の開始から前記所定時間が経過するまでに前記保留変化演出の開始から終了までを行うように設定したことを特徴とする弾球遊技機。
【手続補正２】
【補正対象書類名】明細書
【補正対象項目名】００１０
【補正方法】変更
【補正の内容】
【００１０】
上記課題を解決するためになされた本発明の請求項１に記載の弾球遊技機は、弾球遊技機全体の制御を司る主制御装置と、該主制御装置からの通知をもとに演出装置を制御するサブ制御装置とを備えた弾球遊技機であって、前記主制御装置に、遊技盤上に設けられた始動口に遊技球が入球したことに起因して数値データを抽出する数値データ抽出手段と、前記抽出された前記数値データを所定数を限度に記憶する保留記憶手段と、該保留記憶手段により記憶された前記数値データをもとに大当り遊技を発生させるか否かの大当り判定を行う大当り判定手段と、該大当り判定手段による大当り判定が行われる前に前記数値データ抽出手段によって抽出された前記数値データの内容を確認する数値データ確認手段と、前記大当り判定手段による大当り判定の結果を示す特別図柄を表示させる特別図柄表示制御手段とを備え、前記サブ制御装置に、前記保留記憶手段に前記数値データが記憶されると、対応する保留図柄を表示する保留図柄表示手段と、前記保留図柄には、表示されたときの前記大当り遊技が発生する確率である信頼度が異なる複数の種類があり、前記数値データ確認手段による確認結果をもとに前記保留図柄表示手段によって表示させる前記保留図柄を前記複数の種類のうちから決定する保留図柄決定手段と、前記保留図柄表示手段によって表示された前記保留図柄を、前記信頼度の異なる種類の保留図柄に変化させる保留変化演出を実行させるか否かを判定する保留変化演出判定手段とを備えた弾球遊技機において、前記演出装置には、固定式の第１演出表示装置と、可動式の第２演出表示装置とがあり、前記第２演出表示装置に前記保留図柄が表示されていない状態にて前記第２演出表示装置を可動させる第１可動と、前記第２演出表示装置に前記保留図柄が表示されている状態にて前記第２演出表示装置を可動させる第２可動とを実行可能な第２演出表示装置可動制御手段と、該第２演出表示装置可動制御手段によって前記第２可動を実行させるか否かを判定する第２可動判定手段とを備え、前記第２演出表示装置可動制御手段によって前記第２可動が行われている最中、又は、前記第２可動が実行されてから所定時間経過後に前記保留変化演出が実行され、該第２可動判定手段は、前記保留変化演出判定手段によって前記保留変化演出を実行しないと決定された場合でも所定の確率にて前記第２可動を実行させると判定するように設定され、前記第２演出表示装置可動制御手段によって、前記第１可動が行われている最中には、前記保留変化演出を実行させないように設定し、前記第１可動は、前記第１演出表示装置にて前記特別図柄の所定の疑似演出が行われている最中に実行されるものであり、前記所定の疑似演出の開始から予め定められた所定時間経過後に実行され、前記所定の疑似演出の開始から前記所定時間が経過するまでに前記保留変化演出の開始から終了までを行うように設定したことを特徴とする。
【手続補正３】
【補正対象書類名】明細書
【補正対象項目名】００１８
【補正方法】変更
【補正の内容】
【００１８】
参考例の弾球遊技機は、弾球遊技機全体の制御を司る主制御装置と、該主制御装置からの通知をもとに演出装置を制御するサブ制御装置とを備えた弾球遊技機であって、前記主制御装置に、遊技盤上に設けられた始動口に遊技球が入球したことに起因して数値データを抽出する数値データ抽出手段と、前記抽出された前記数値データを所定数を限度に記憶する保留記憶手段と、該保留記憶手段により記憶された前記数値データをもとに大当り遊技を発生させるか否かの大当り判定を行う大当り判定手段と、該大当り判定手段による大当り判定が行われる前に前記保留記憶手段に記憶されている前記数値データの内容を確認する数値データ確認手段と、前記大当り判定手段による大当り判定の結果を示す特別図柄を表示させる特別図柄表示制御手段とを備え、前記サブ制御装置に、前記保留記憶手段に前記数値データが記憶されると、対応する保留図柄を表示する保留図柄表示手段と、前記保留図柄には、表示されたときの前記大当り遊技が発生する確率である信頼度が異なる複数の種類があり、前記数値データ確認手段による確認結果をもとに前記保留図柄表示手段によって表示させる前記保留図柄を前記複数の種類のうちから決定する保留図柄決定手段と、前記保留図柄表示手段によって表示された前記保留図柄を、前記信頼度の異なる種類の保留図柄に変化させる保留変化演出を実行させるか否かを判定する保留変化演出判定手段とを備えた弾球遊技機において、前記演出装置には、固定式の第１演出表示装置と、可動式の第２演出表示装置とがあり、前記第２演出表示装置に前記保留図柄が表示されていない状態にて前記第２演出表示装置を可動させる第１可動と、前記第２演出表示装置に前記保留図柄が表示されている状態にて前記第２演出表示装置を可動させる第２可動とを実行可能な第２演出表示装置可動制御手段と、該第２演出表示装置可動制御手段によって前記第２可動を実行させるか否かを判定する第２可動判定手段とを備え、該第２可動判定手段は、前記保留変化演出判定手段によって前記保留変化演出を実行すると決定された場合には、前記第２可動を実行させないと判定する確率よりも前記第２可動を実行させると判定する確率のほうが高くなるように設定され、且つ、前記保留変化演出判定手段によって前記保留変化演出を実行しないと決定された場合でも所定の確率にて前記第２可動を実行させると判定するように設定され、前記第２演出表示装置可動制御手段によって、前記第１可動が行われている最中には、前記保留変化演出を実行させないように設定し、前記第１演出表示装置にて前記特別図柄の所定の疑似演出が開始されてから予め定められた所定時間経過後に、前記第２演出表示装置可動制御手段によって前記第１可動が実行される場合と前記第２可動が実行される場合があるようにしたことを特徴とする。
【手続補正４】
【補正対象書類名】明細書
【補正対象項目名】００３３
【補正方法】変更
【補正の内容】
【００３３】
参考例の弾球遊技機によれば、表示されている保留図柄を、信頼度の異なる保留図柄に変化させる保留変化演出を実行する際は、保留図柄が表示された第２演出表示装置を可動させるようにしたので保留変化演出を、インパクトの強い演出にすることが可能となる。
また、第２演出表示装置が所定の疑似演出以外にも可動することとなり、可動式の第２演出表示装置の良さを発揮させることが出来る。
さらに、疑似演出としての第２演出表示装置の可動を、保留変化演出にも利用するといった今までにない斬新な演出が可能となる。
また、疑似演出のための第２演出表示装置の可動によって保留変化演出が実行される場合と保留変化演出が実行されない場合とを設けたので、疑似演出として利用する第２演出表示装置の可動によって保留変化演出が実行された場合に、大きな驚きと喜びを遊技者に与えることが出来る。